(57)【特許請求の範囲】
【請求項１】
入力映像信号のフィールド種類を判別するフィールド種類判別装置において、入力映像信号の垂直同期信号を遅延させる遅延回路と、入力映像信号の水平同期信号の周波数を測定する周波数判別回路と、遅延回路から出力される垂直同期信号の立ち上がり時における、水平同期信号に同期した信号のレベルに基づいてフィールド種類を判別するフィールド種類判別回路とを備え、前記遅延回路から出力される垂直同期信号は、予め設定されている初期遅延量と、水平同期信号の周波数と前記初期遅延量との関係により新たに設定される遅延量とを加算した量だけ遅延させていることを特徴とするフィールド種類判別装置。
【発明の詳細な説明】
【０００１】
【発明の属する技術分野】
この発明は、たとえば液晶表示装置に設けられるフィールド種類判別システムに関し、特に、入力映像信号の水平同期信号の周波数が不明である場合に有効なフィールド種類判別システムに関する。
【０００２】
【従来の技術】
図２は、液晶プロジェクタに設けられている従来のフィールド種類判別装置の構成を示している。
【０００３】
図３（ａ）は、入力映像が奇数（odd)フィールドである場合の、図２の各部の信号を示している。図３（ｂ）は、入力映像が偶数（even) フィールドである場合の、図２の各部の信号を示している。
【０００４】
同期分離回路１０には、入力映像信号のコンポジット同期信号（ｏ）が入力される。同期分離回路１０は、コンポジット同期信号（ｏ）から、垂直同期信号（ｐ）と、水平同期信号（ｑ）とを分離する。同期分離回路１０によって分離された垂直同期信号（ｐ）は、フィールド種類判別回路１２に送られる。同期分離回路１０で分離された垂直同期信号（ｐ）は、コンポジット同期信号（ｏ）中の垂直同期部に対してτ0 だけ遅延している。
【０００５】
同期分離回路１０によって分離された水平同期信号（ｑ）は、ＰＬＬ回路１１に送られる。そして、ＰＬＬ回路１１と分周器１３とによって、水平同期信号（ｑ）に同期した信号（ｒ）が生成される。この信号（ｒ）は、フィールド種類判別回路１２に送られる。
【０００６】
フィールド種類判別回路１２では入力される上記２つの信号（ｐ），（ｑ）の位相（タイミング）の関係に基づいて、入力映像信号のフィールド種類判別を行う。フィールド種類判別は、垂直同期信号（ｐ）の立ち上がりのタイミングでの信号（ｒ）のレベルにより行われる。
【０００７】
この例では、垂直同期信号（ｐ）の立ち上がりのタイミングでの信号（ｒ）がＨレベルであれば、入力映像のフィールドが奇数（odd)フィールドであると判別され、垂直同期信号（ｐ）の立ち上がりのタイミングでの信号（ｒ）がＬレベルであれば、入力映像のフィールドが偶数（even) フィールドであると判別される。
【０００８】
しかしながら、図２に示す従来のフィールド種類判別装置は、入力信号がＮＴＳＣもしくはＰＡＬ方式のように、水平同期信号の周波数が予め限定されているものにだけ有効である。
【０００９】
上述したように、同期分離回路１０で分離された垂直同期信号（ｐ）は、コンポジット同期信号（ｏ）中の垂直同期部に対してτ0 だけ遅延している。この遅延量τ0 は、水平同期信号の周波数に関係無く一定である。このため、水平同期信号の周波数によっては図３に示した垂直同期信号と水平同期信号に同期した信号の位相関係が成立しなくなる。
【００１０】
たとえば、図４に示すように、入力映像信号の水平同期信号の周波数が、図３の入力映像信号の水平同期信号の周波数より高く、水平同期信号に同期した信号（ｒ）の周期の１／２がτ0 以下である場合には、フィールド種類判別結果が、図３の場合と逆になってしまう。
【００１１】
【発明が解決しようとする課題】
この発明は、入力映像信号の水平同期信号の周波数にかかわらず、フィールド種類判別を行なうことができるフィールド種類判別装置を提供することを目的とする。
【００１２】
【課題を解決するための手段】
この発明によるフィールド種類判別装置は、入力映像信号のフィールド種類を判別するフィールド種類判別装置において、入力映像信号の垂直同期信号を遅延させる遅延回路と、入力映像信号の水平同期信号の周波数を測定する周波数判別回路と、遅延回路から出力される垂直同期信号の立ち上がり時における、水平同期信号に同期した信号のレベルに基づいてフィールド種類を判別するフィールド種類判別回路とを備え、前記遅延回路から出力される垂直同期信号は、予め設定されている初期遅延量と、水平同期信号の周波数と前記初期遅延量との関係により新たに設定される遅延量とを加算した量だけ遅延させていることを特徴とする。
【００１３】
【発明の実施の形態】
以下、図１、図３および図４を参照して、この発明の実施の形態について説明する。
【００１４】
図１は、フィールド種類判別装置の構成を示している。
【００１５】
図３は、第１の入力映像信号に対する図１の各部の信号を示している。図３（ａ）は、第１の入力映像の奇数（odd)フィールドが入力されている場合の、図１の各部の信号を示している。図３（ｂ）は、第１の入力映像の偶数（even) フィールドが入力されている場合の、図１の各部の信号を示している。
【００１６】
図４は、第１の入力映像信号とは水平同期信号の周波数が異なる第２の入力映像信号に対する図１の各部の信号を示している。図４（ａ）は、第２の入力映像の奇数（odd)フィールドが入力されている場合の、図１の各部の信号を示している。図４（ｂ）は、第２の入力映像の偶数（even) フィールドが入力されている場合の、図１の各部の信号を示している。
【００１７】
同期分離回路１は、コンポジット同期信号またはコンポジット同期信号が多重された映像信号（ｏ）から、垂直同期信号（ｐ）および水平同期信号（ｑ）を抽出する。遅延回路２は垂直同期信号（ｐ）を遅延させる回路であり、その遅延量はマイクロコンピュータ７によって制御される。
【００１８】
ＰＬＬ回路４と分周器５とは、同期分離回路１からの水平同期信号（ｑ）に基づいて、水平同期信号（ｑ）に同期した信号を生成する。分周器５の分周値はマイクロコンピュータ７によって制御される。
【００１９】
周波数計測回路６は、同期分離回路１からの水平同期信号（ｑ）に基づいて、入力信号の水平期間を固定のクロック（ｃ）でカウントし、そのカウント結果をマイクロコンピュータ７に転送する。
【００２０】
フィールド種類判別回路３は、遅延回路２から得られる垂直同期信号（ｐ’）と、ＰＬＬ回路４と分周器５とによって生成された水平同期信号（ｑ）に同期した信号（ｒ）とに基づいて、フィールド種類を判別する。
【００２１】
同期分離回路１で抽出された垂直同期信号（ｐ）のコンポジット同期信号（ｏ）の垂直同期部分からの遅延量をτ0 とする。この遅延量τ0 の値は同期分離回路１が持つ固有の値でありほぼ変化しない。
【００２２】
同期分離回路１から抽出される水平同期信号（ｑ）は、ＰＬＬ回路４及び周波数計測回路６に入力される。ＰＬＬ回路４では、周知のように水平同期信号（ｑ）の他に分周器５から信号が入力され、これらの信号の周波数と位相が一致するように動作する。分周器５の分周値はマイクロコンピュータ７により設定され、その設定値によりＰＬＬ回路４から出力される信号の周波数が決定される。
【００２３】
水平同期信号（ｑ）の周波数をｆｈ、分周器５の分周値をＮ、ＰＬＬ回路４からの発振周波数をｖｈとすると、ｖｈは次式（１）で表される。
【００２４】
ｖｈ＝ｆｈ・Ｎ      …（１）
【００２５】
分周器５は、周波数ｖｈの信号を分周するとともに、水平同期信号（ｑ）に同期した周波数ｆｈで、デュティ５０％の信号（ｒ）を生成してフィールド種類判別回路３に送る。
【００２６】
水平同期信号（ｑ）の周波数をｆｈ、クロック（ｃ）の周波数をｓｈとすると、周波数計測回路６からマイクロコンピュータに、次式（２）で示されるカウント値Ｋが送られる。
【００２７】
Ｋ＝ｓｈ／ｆｈ      …（２）
【００２８】
マイクロコンピュータ７では、予め設定されている固定クロック（ｃ）の周波数情報ｓｈに基づいて、水平同期信号（ｑ）の周波数ｆｈを次式（３）に基づいて算出する。
【００２９】
ｓｈ／Ｋ＝ｆｈ      …（３）
【００３０】
マイクロコンピュータ７は、水平同期信号（ｑ）の周波数ｆｈと、予め設定されている垂直同期信号の初期遅延量τ0 とを比較し、図３に示すように、次式（４）が成立する場合には、遅延回路２の遅延量を０に設定する。
【００３１】
１／（ｆｈ・２）＞τ0       …（４）
【００３２】
つまり、図３に示すように、信号（ｒ）の周期の１／２が、τ0 より大きい場合には、遅延回路２の遅延量が０に設定される。これにより遅延回路２に入力された垂直同期信号（ｐ）が遅延せしめられることなく、フィールド種類判別回路３に送られる。この場合には、遅延回路２から出力されるた垂直同期信号（ｐ’）の位相は、垂直同期信号（ｐ）の位相と等しくなる。
【００３３】
垂直同期信号（ｐ’＝ｐ）の立ち上がりのタイミングでの信号（ｒ）がＨレベルであれば、入力映像のフィールドが奇数（odd)フィールドであると判別され、垂直同期信号（ｐ’＝ｐ）の立ち上がりのタイミングでの信号（ｒ）がＬレベルであれば、入力映像のフィールドが偶数（even) フィールドであると判別される。
【００３４】
一方、図４の信号（ｒ）に示すように、次式（５）が成立する場合には、τ1 ＝１／（ｆｈ・２）を遅延回路２の遅延量に設定する。つまり、信号（ｒ）の周期Ｔの１／２が、τ0 以下の場合には、遅延回路２の遅延量がτ1 ＝１／（ｆｈ・２）に設定される。
【００３５】
１／（ｆｈ・２）≦τ0       …（５）
【００３６】
これにより、遅延回路２から出力される垂直同期信号（ｐ’）は、同期分離回路１から出力される垂直同期信号（ｐ）よりもさらにτ1 だけ遅延した信号となる。
【００３７】
この場合には、垂直同期信号（ｐ’）の立ち上がりのタイミングでの信号（ｒ）がＨレベルであれば、入力映像のフィールドが奇数（odd)フィールドであると判別され、垂直同期信号（ｐ’）の立ち上がりのタイミングでの信号（ｒ）がＬレベルであれば、入力映像のフィールドが偶数（even) フィールドであると判別される。
【００３８】
つまり、上記実施の形態では、コンポジット同期信号から一定の遅延量τ0 を持った垂直同期信号を同期分離回路によって分離し、同期分離回路によって分離された垂直同期信号を遅延回路を介してフィールド種類判別回路に入力させている。マイクロコンピュータを使用して入力映像信号の水平同期信号の周期と前記一定遅延量τ0 とを比較し、その比較結果に応じて遅延回路の遅延量を制御している。これにより、入力映像信号の水平同期信号の周波数が変化しても、フィールド種類判別回路に入力される垂直同期信号と、水平同期信号に同期した信号との位相関係が一定になり、安定したフィールド種類判別装置が実現できる。
【００３９】
【発明の効果】
この発明によれば、入力映像信号の水平同期信号の周波数にかかわらず、フィールド種類判別を行なうことができるようになる。
【図面の簡単な説明】
【図１】フィールド種類判別装置の構成を示すブロック図である。
【図２】従来のフィールド種類判別装置を示すブロック図である。
【図３】図１または図２の各部の信号を示すタイミングチャートである。
【図４】図１の各部の信号を示すタイミングチャートである。
【符号の説明】
１  同期分離回路
２  遅延回路
３  フィールド種類判別回路
４  ＰＬＬ回路
５  分周器
６  周波数計測回路
７  マイクロコンピュータ
【図１】
0003679694.tif 000002
【図２】
0003679694.tif 000003
【図３】
0003679694.tif 000004
【図４】
0003679694.tif 000005